(57)【特許請求の範囲】
【請求項１】
フォーク差し込み口の底部が、フォーク差し込み口の入り口側に位置する端部垂直リブの上端からフォーク差し込み口の入り口方向に向かって下方に傾斜する傾斜部と、フォーク差し込み口の奥側に位置する端部垂直リブの上端からフォーク差し込み口の奥方向に向かって下方に傾斜する傾斜部と、前記両傾斜部間に形成された、上面に垂直リブが立設され、下面に滑り止めテープが取着される下部水平部とを有するとともに、前記傾斜部、垂直リブ及び下部水平部が、略同じ肉厚に形成されており、且つ、前記下部水平部の上面に立設された垂直リブの前記傾斜部側の側面には、三角形状の補強リブが形成されていることを特徴とする合成樹脂製パレット。
【発明の詳細な説明】
【０００１】
【発明の属する技術分野】
本発明は、車輪を有するハンドリフトやフォーク等が出し入れが可能なフォーク差し込み口を有する合成樹脂製パレットに関するものである。
【０００２】
【従来の技術】
従来、合成樹脂製パレットの差し込み口の底部１は、一例として、該底部１のフォーク差し込み口のフォーク挿入方向に沿った垂直断面図である図５に示されているように、断面が略三角形状の前後部１ａと、該前後部１ａの頂部を連結する水平部１ｂと、該水平部１ｂから下方に延びる複数本の垂直リブ１ｃとから構成されており、そして、断面が略三角形状の前後部１ａの底面１ａ’に、滑り止めテープ２が貼着されている。
【０００３】
【発明が解決しようとする課題】
上述した従来の合成樹脂製パレットは、射出成型後の冷却過程において、断面が略三角形状の前後部１ａが、水平部１ｂや垂直リブ１ｃに比べて肉厚であるため、前後部１ａが、図６の矢印で示されているように、前後部１ａの内側方向に収縮し、図５に二点鎖線で示されているように、全体が山形に変形する。このような変形により、前後部１ａの底面１ａ’が傾斜し、水平でないために、滑り止めテープ２が貼り付け難く生産性が悪い上に、底部１ａ’に滑り止めテープ２を貼着しても、滑り止めテープ２の機能を奏しないという問題がある。
【０００４】
また、上記のように底部１が山形に変形しているために、ハンドリフトの車輪の乗り上げが困難になり、従って、フォーク差し込み口へのハンドリフトの挿入作業及びフォーク差し込み口からのハンドリフトの取り出し作業の作業性が悪くなる。
【０００５】
更に、このように変形した合成樹脂製パレットは、多数の合成樹脂製パレットを安定して段積みすることができないとともに、袋に収納された物品が載置された合成樹脂製パレットを、段積みした際に、下に位置する合成樹脂製パレットに載置された物品が収納された袋に、上に位置する合成樹脂製パレットの変形した底部１の前後部１ａの角部１ａ”が当たるために、物品が収納された袋が破れる等の損傷を受けるという問題がある。
【０００６】
本発明の目的は、上述した従来の合成樹脂製パレットが有する課題を解決することにある。
【０００７】
【課題を解決するための手段】
本発明は、上述した目的を達成するために、フォーク差し込み口の底部が、フォーク差し込み口の入り口側に位置する端部垂直リブの上端からフォーク差し込み口の入り口方向に向かって下方に傾斜する傾斜部と、フォーク差し込み口の奥側に位置する端部垂直リブの上端からフォーク差し込み口の奥方向に向かって下方に傾斜する傾斜部と、前記両傾斜部間に形成された、上面に垂直リブが立設され、下面に滑り止めテープが取着される下部水平部とを有するとともに、前記傾斜部、垂直リブ及び下部水平部を、略同じ肉厚に形成し、且つ、前記下部水平部の上面に立設された垂直リブの前記傾斜部側の側面に、三角形状の補強リブを形成したものである。
【０００８】
【実施例】
先ず最初に、図１を用いて、一例としての合成樹脂製パレットＰについて説明する。
【０００９】
１０は、上部デッキボードであり、１１は下部デッキボードである。上部デッキボード１０と下部デッキボード１１とは、四隅に形成された隅桁１２と、該隅桁１２の中間に配設された中間桁１３と、図示されていない中央に形成された中央桁により連結されている。隅桁１２と中間桁１３との間には、ハンドリフトやフォーク等が出し入れが可能なフォーク差し込み口１４が形成されている。
【００１０】
次に、図１のＩ−Ｉ線に沿った、即ち、フォーク差し込み口１４のフォーク挿入方向に沿った、フォーク差し込み口１４の底部の垂直断面である図２を用いて、本発明の合成樹脂製パレットＰのフォーク差し込み口１４の底部Ｔについて説明する。
【００１１】
ｔ１は、断面形状が横長の長方形をした板状の下部水平部であり、下部水平部ｔ１の両端部からは、上方に向けて、端部垂直リブｔ２、ｔ３が立設されており、また、下部水平部ｔ１の中央からは、同じく上方に向けて、中央垂直リブｔ４が立設されている。また、フォーク差し込み口１４の入り口側に位置する端部垂直リブｔ２の上端からは、フォーク差し込み口１４の入り口方向に向かって下方に傾斜する傾斜部ｔ５が形成されており、そして、フォーク差し込み口１４の奥側に位置する端部垂直リブｔ３の上端からは、フォーク差し込み口１４の奥方向に向かって下方に傾斜する傾斜部ｔ６が形成されている。
【００１２】
上述したように、下部水平部ｔ１、端部垂直リブｔ２、ｔ３、中央垂直リブｔ４及び傾斜部ｔ５、ｔ６とにより、フォーク差し込み口１４の底部Ｔが構成されており、フォーク差し込み口１４のフォーク挿入方向に沿って、前後に傾斜部ｔ５、ｔ６が形成されているので、フォーク差し込み口１４にハンドリフトを挿入する際に、或いは、フォーク差し込み口１４に挿入されたハンドリフトを取り出す際に、ハンドリフトの車輪が、容易に、フォーク差し込み口１４の底部Ｔを乗り越えることができる。また、フォーク差し込み口１４の底部Ｔを構成する部材である、下部水平部ｔ１、端部垂直リブｔ２、ｔ３、中央垂直リブｔ４及び傾斜部ｔ５、ｔ６は、略同じ肉厚に形成されている。また、中央垂直リブｔ４を補強するために、中央垂直リブｔ４の傾斜部ｔ５、ｔ６側の側面ｔ４’には、適当数の三角形状の補強リブ７が形成されている。なお、中央垂直リブｔ４は、必要に応じて、複数本形成することができる。
【００１３】
図１において、ｔ８は、端部垂直リブｔ２、ｔ３及び中央垂直リブｔ４と直交するように、適当な間隔で配設された交差リブであり、底部Ｔの強度を増すために、必要に応じて、適宜、配設することができる。端部垂直リブｔ２、ｔ３及び中央垂直リブｔ４の上面と交差リブｔ８の上面とは、面一に形成されている。
【００１４】
ｔ９は、必要に応じて、下部水平部ｔ１の底面ｔ１’に形成された凹部であり、該凹部ｔ９には、滑り止めテープｔ１０が貼着されている。下部水平部ｔ１の底面ｔ１’に、このような凹部ｔ９を形成することなく、下部水平部ｔ１の底面ｔ１’に滑り止めテープｔ１０を貼着することもできる。
【００１５】
従来の合成樹脂製パレットＰにおいては、断面が略三角形状の前後部１ａの底面１ａ’に、それぞれ、幅の狭い底面１ａ’に合わせて、幅の狭い滑り止めテープ２を貼着していたが、本発明においては、傾斜部ｔ５、ｔ６間に位置する平に形成された下部水平部ｔ１の底面ｔ１’の幅が広いので、この部分に、一本の幅の広い滑り止めテープｔ１０を貼着すればよく、従って、滑り止めテープｔ１０の貼着作業時間が短縮されることになる。また、この下部水平部ｔ１は、射出成型後の冷却過程に収縮が小さく、変形が少ないので、下部水平部ｔ１に滑り止めテープｔ１０を貼着するこにより、滑り止めテープｔ１０の滑り止め効果を十分に発揮することができる。
【００１６】
また、本発明は、上述したように、フォーク差し込み口１４の底部Ｔを構成する部材である、下部水平部ｔ１、端部垂直リブｔ２、ｔ３、中央垂直リブｔ４及び傾斜部ｔ５、ｔ６が、同じ肉厚になるように形成されているので、合成樹脂製パレットＰのフォーク差し込み口１４の底部Ｔが、射出成型後の冷却過程において、変形することが非常に少ない。従って、底部が山形に変形している従来の合成樹脂製パレットのように、ハンドリフトの車輪の乗り上げが困難になり、フォーク差し込み口へのハンドリフトの挿入作業及びフォーク差し込み口からのハンドリフトの取り出し作業の作業性が悪くなるようなことがない。
【００１７】
図３に示されている実施例は、図２に示されている一方の端部垂直リブｔ３の上端部から、一方の傾斜部ｔ６方向に延在する上部水平部ｔ１１を形成し、該上部水平部ｔ１１の端部に傾斜部ｔ６を連接したものであり、また、上部水平部ｔ１１の下面には垂直に垂下された垂直リブｔ１２が形成されている。上部水平部ｔ１１は、必要に応じて長くも、また、短くもすることができ、また、垂直リブｔ１２の本数も、フォーク差し込み口１４の底部Ｔの強度を勘案して、複数本、垂設することができる。この場合にも、フォーク差し込み口１４の底部Ｔを構成する部材である、上部水平部ｔ１１及び垂直リブｔ１２の肉厚は、上述した下部水平部ｔ１、端部垂直リブｔ２、ｔ３、中央垂直リブｔ４及び傾斜部ｔ５、ｔ６の肉厚と略同じになるように構成されている。そして、上述した実施例と同様に、変形が少ない下部水平部ｔ１に滑り止めテープｔ１０を貼着するこにより、滑り止めテープｔ１０の滑り止め効果を十分に発揮するように構成されている。
【００１８】
図４に示されている実施例は、上述した実施例と同様に、図２に示されているもう一方の端部垂直リブｔ２の上端部から、もう一方の傾斜部ｔ５方向に延在する上部水平部ｔ１３を形成し、該上部水平部ｔ１３の端部に傾斜部ｔ５を連接したものであり、また、上部水平部ｔ１３下面には垂直に垂下された垂直リブｔ１４が形成されている。上部水平部ｔ１３は、必要に応じて長くも、また、短くもすることができ、また、垂直リブｔ１４の本数も、フォーク差し込み口１４の底部Ｔの強度を勘案して、複数本、垂設することができる。この場合にも、フォーク差し込み口１４の底部Ｔを構成する部材である、上部水平部ｔ１３及び垂直リブｔ１４の肉厚は、上述した水平部ｔ１、端部垂直リブｔ２、ｔ３、中央垂直リブｔ４、傾斜部ｔ５、ｔ６、上部水平部ｔ１１及び垂直リブｔ１２の肉厚と略同じになるように構成されている。そして、上述した実施例と同様に、変形が少ない下部水平部ｔ１に滑り止めテープｔ１０を貼着するこにより、滑り止めテープｔ１０の滑り止め効果を十分に発揮するように構成されている。
【００１９】
なお、上述した合成樹脂製パレットＰを、射出成形等により、一体に成形することも、また、合成樹脂製パレットＰを、上部デッキボード１０側と下部デッキボード１１側とに、別々に成形し、その後、上部デッキボード１０側と下部デッキボード１１側とを、隅桁１２、中間桁１３及び中央桁同士を溶着することにより形成することもできる。また、上述した実施例においては、合成樹脂製パレットＰの４つの側面に、それぞれ、２つのフォーク差し込み口１４が形成されている、所謂、４方差しの合成樹脂製パレットＰが示されているが、相対する２組の側面のうち、一方の相対する側面にのみ、２つのフォーク差し込み口１４が形成されている、所謂、２方差しの合成樹脂製パレットに、本発明を適用することもできる。
【００２０】
【発明の効果】
本発明は、以上説明した構成を有しているので、以下に記載する効果を奏するものである。
【００２１】
フォーク差し込み口の底部を構成する両傾斜部間に形成された、変形の少ない下部水平部に滑り止めテープを取着したので、滑り止めテープｔの貼着作業時間が短縮されるとともに、滑り止めテープの滑り止め効果を十分に発揮することができる。
【００２２】
フォーク差し込み口の底部を構成する部材を略同じ肉厚に形成したので、フォーク差し込み口の底部が、射出成型後の冷却過程において変形することが防止しできる。従って、フォーク差し込み口の底部が山形に変形するようなことがなく、フォーク差し込み口へのハンドリフトの挿入作業及びフォーク差し込み口からのハンドリフトの取り出し作業の作業性が向上する。
【００２３】
中央垂直リブの側面に補強リブを形成したので、ハンドリフトの車輪が載置される中央垂直リブを補強することができる。
【図面の簡単な説明】
【図１】図１は本発明の合成樹脂製パレットの一部切り欠きを含む斜視図である。
【図２】図２は図１のＩ−Ｉ線に沿った垂直断面図である。
【図３】図３は本発明の合成樹脂製パレットの別の実施例の図２と同様の垂直断面図である。
【図４】図４は本発明の合成樹脂製パレットの更に別の実施例の図２と同様の垂直断面図である。
【図５】図５は従来の合成樹脂製パレットにおけるフォーク差し込み口の底部のフォーク挿入方向に沿った垂直断面図である。
【図６】図６は従来の合成樹脂製パレットにおけるフォーク差し込み口の底部の平面図である。
【符号の説明】
Ｐ・・・・・・・・合成樹脂製パレット
Ｔ・・・・・・・・底部
１４・・・・・・・フォーク差し込み口
ｔ１・・・・・・・下部水平部
ｔ２、ｔ３・・・・端部垂直リブ
ｔ４・・・・・・・中央垂直リブ
ｔ５、ｔ６・・・・傾斜部
ｔ７・・・・・・・補強リブ
ｔ１０・・・・・・滑り止めテープ
ｔ１１、ｔ１３・・上部水平部
【図１】
0004216368.tif 000002
【図２】
0004216368.tif 000003
【図３】
0004216368.tif 000004
【図４】
0004216368.tif 000005
【図５】
0004216368.tif 000006
【図６】
0004216368.tif 000007